(57)【要約】【課題】  本発明は魚釣用電動リールに関し、対象魚や釣りの状況に応じて、モータ出力調節体によるきめ細かな巻取り操作を可能とした魚釣用電動リールを提供することを目的とする。【解決手段】  リール本体に回転可能に支持されたスプールを巻取り駆動するスプール駆動モータと、リール本体に変位可能に装着され、変位操作でスプール駆動モータのモータ出力をモータ出力制御パターンに基づき調節してスプール駆動モータを駆動するモータ出力調節体を備えた魚釣用電動リールに於て、上記モータ出力調節体のモータ出力制御パターンを、操作手段による外部操作で変更，設定可能としたことを特徴とする。【選択図】    図４
2005229963.tif 000002
【特許請求の範囲】
【請求項１】
リール本体に回転可能に支持されたスプールを巻取り駆動するスプール駆動モータと、
リール本体に変位可能に装着され、変位操作でスプール駆動モータのモータ出力をモータ出力制御パターンに基づき調節してスプール駆動モータを駆動するモータ出力調節体を備えた魚釣用電動リールに於て、
上記モータ出力調節体のモータ出力制御パターンを、操作手段による外部操作で変更，設定可能としたことを特徴とする魚釣用電動リール。
【請求項２】
リール本体に回転可能に支持されたスプールを巻取り駆動するスプール駆動モータと、
リール本体に変位可能に装着され、変位操作でスプール駆動モータのモータ出力をモータ出力制御パターンに基づき調節してスプール駆動モータを駆動するモータ出力調節体を備えた魚釣用電動リールに於て、
記憶手段に、上記モータ出力調節体のモータ出力制御パターンを複数設定，記憶し、操作手段による外部操作で上記モータ出力制御パターンを選択，設定可能としたことを特徴とする魚釣用電動リール。
【発明の詳細な説明】
【技術分野】
【０００１】
本発明は、リール本体に回転自在に取り付くスプールを巻取り駆動するスプール駆動モータを備えた魚釣用電動リールに関する。
【背景技術】
【０００２】
船釣り等、一般に深場の魚層を対象とした魚釣りを行う場合、魚釣用電動リール（以下、「電動リール」という）が広く使用されている。
従来周知のようにこの電動リールは、スプール駆動モータ（以下、「スプールモータ」という）の駆動でスプールを回転させて釣糸の巻取りを行うもので、特許文献１に開示されるように昨今の電動リールには、ハンドル側の側板にスプールモータのモータ出力を調節してスプールモータを駆動するレバー形状のモータ出力調節体が前後方向へ回転操作可能に装着されており、このモータ出力調節体の操作でモータ出力を停止状態から高速状態まで増減調節できるようになっている。
【０００３】
そして、釣人は、釣場の状況（例えば、対象魚の大きさや種類，魚とのファイトやヒット数）に応じ、このモータ出力調節体を操作してモータ出力を増減調節することにより、実釣に即した釣糸の巻取り操作を行っている。
【特許文献１】特許第２９７７９７８号公報
【発明の開示】
【発明が解決しようとする課題】
【０００４】
ところで、実際の釣りに於て、対象魚によっては低速領域や高速領域でより細かなモータ出力制御が必要な場面が生ずることがある。
しかし、上述した従来の電動リールでは、例えば図１７の如くモータ出力調節体の操作量に応じたモータ停止状態からモータ出力の最大値までのモータ出力制御パターンが予め決まっているため、対象魚や釣りの状況によってきめ細かなモータ駆動による巻取り操作が行えず、釣果向上に支障を来してしまう虞があった。
【０００５】
本発明は斯かる実情に鑑み案出されたもので、対象魚や釣りの状況に応じて、モータ出力調節体によるきめ細かな巻取り操作を可能とした電動リールを提供することを目的とする。
【課題を解決するための手段】
【０００６】
斯かる目的を達成するため、請求項１に係る発明は、リール本体に回転可能に支持されたスプールを巻取り駆動するスプールモータと、リール本体に変位可能に装着され、変位操作でスプールモータのモータ出力をモータ出力制御パターンに基づき調節してスプールモータを駆動するモータ出力調節体を備えた電動リールに於て、上記モータ出力調節体のモータ出力制御パターンを、操作手段による外部操作で変更，設定可能としたことを特徴とする。
【０００７】
そして、請求項２に係る発明は、リール本体に回転可能に支持されたスプールを巻取り駆動するスプールモータと、リール本体に変位可能に装着され、変位操作でスプールモータのモータ出力をモータ出力制御パターンに基づき調節してスプールモータを駆動するモータ出力調節体を備えた電動リールに於て、記憶手段に、上記モータ出力調節体のモータ出力制御パターンを複数設定，記憶し、操作手段による外部操作で上記モータ出力制御パターンを選択，設定可能としたことを特徴とする。
【発明の効果】
【０００８】
請求項１に係る発明によれば、対象魚や釣りの状況に応じ、モータ出力制御パターンを適宜変更，設定して最適なモータ出力制御パターンで釣りを行うことができるので、従来に比しモータ駆動によるきめ細かな巻取り操作が可能となって、釣果が向上する利点を有する。
そして、請求項２に係る発明によれば、対象魚や釣りの状況に応じたモータ出力制御パターンを適宜選択，設定して釣りを行うことができるので、従来に比しモータ駆動によるきめ細かな巻取り操作が可能となって釣果が向上する利点を有する。
【発明を実施するための最良の形態】
【０００９】
以下、本発明の実施形態を図面に基づいて詳細に説明する。
図１は請求項１の一実施形態に係る電動リールを示し、図中、１はリール本体３の枠体、５，７は当該枠体１の左右の側枠９，１１に取り付く側板で、両側板５，７間にスプール軸が図示しない支持部に支持され、当該スプール軸にスプール１３が回転可能に支持されている。
【００１０】
スプール１３は、スプールモータ１５の駆動やハンドル１７の巻取り操作で回転して釣糸が巻回され、スプールモータ１５は、スプール１３前方の側枠９，１１間に一体成形された筒状のモータケース内に収容されている。
そして、スプールモータ１５の左モータ軸とスプール軸との間に、遊星歯車とこれに噛合する太陽歯車や内歯歯車等からなる遊星減速機構１９と、駆動ベルト２１を用いた動力伝達機構２３が順次装着されており、これらの遊星減速機構１９と動力伝達機構２３を介してスプールモータ１５の駆動力がスプール軸に伝達されるようになっている。
【００１１】
スプール軸はスプール１３の中央を貫通してその他端側が側板７内に突出し、その突出端に、スプール軸の回転力をスプール１３に伝達させる動力伝達機構２５や、スプール１３を釣糸巻取り状態（クラッチＯＮ）とスプールフリー状態（クラッチＯＦＦ）とに切り換えるクラッチ機構２７が装着されている。
そして、スプール１３後方の側枠９，１１間にはクラッチレバー２９が下方向へ押圧操作可能に取り付けられており、当該クラッチレバー２９の押圧操作で上記クラッチ機構２７がクラッチＯＮからクラッチＯＦＦに切り換わるようになっている。
【００１２】
また、このクラッチＯＦＦ状態でハンドル１７を巻取り方向へ回転させると、図示しない周知の復帰機構を介してクラッチ機構２７がクラッチＯＮ状態に復帰するように構成されており、このクラッチ機構２７のクラッチＯＮ／ＯＦＦの切換えでスプール１３が釣糸巻取り状態と釣糸繰出し状態とに切り換わって、スプール１３へのスプールモータ１５やハンドル１７の動力が伝達／遮断されるようになっている。
【００１３】
而して、スプールモータ１５は、ハンドル１７側の側板７の上部前方に装着したレバー形状のモータ出力調節体（以下、「パワーレバー」という）３１や、後述する寸動スイッチ３３（モータ駆動ＯＮ／ＯＦＦスイッチで、押している時だけモータＯＮ、離すとモータＯＦＦとなる）の操作で駆動するように構成されており、パワーレバー３１はハンドル１７と同方向へ回転操作可能に取り付けられている。
【００１４】
そして、リール本体３の上部には、マイクロコンピュータとその他の電装部品からなる制御回路等が収容された制御ボックス３５が側板５，７間に設けられており、パワーレバー３１の操作で、マイクロコンピュータが図２に示すモータ出力制御パターンに基づき、パワーレバー３１の操作量に応じたパルス信号のデューティ比としてスプールモータ１５への電流通電時間率を可変制御して、モータ出力をモータ停止状態から最大値（０〜１００％）まで連続して増減調節するようになっている。
【００１５】
図２に示すモータ出力制御パターンは、予め工場出荷段階でマイクロコンピュータのＲＯＭに設定，記憶された標準のモータ出力制御パターンで、パワーレバー３１によるきめ細かな釣糸の巻取り操作を可能とするため、後述するようにこのモータ出力制御パターンは適宜変更可能である。
また、図１中、３７はスプール１３の回転方向と回転数を検出する回転検出手段で、当該回転検出手段３７は、反ハンドル側の側枠９に装着された一対のリードスイッチ３９と、これに対向してスプール１３の一端側周縁部に固着された複数のマグネット４１とで構成されており、リードスイッチ３９はマイクロコンピュータのＣＰＵに接続されている。
【００１６】
一方、マイクロコンピュータのＲＯＭには、特開平５−１０３５６７号公報で開示された電動リールと同様、糸長計測基礎データが入力された糸長計測プログラムが組み込まれており、ＣＰＵは、リードスイッチ３９から出力されるスプール１３の正転／逆転の判定信号を取り込んで釣糸の繰出しか巻取りかを判定すると共に、リードスイッチ３９から取り込むスプール１３の回転パルス信号をカウントし、この計数値を基に上記糸長計測プログラムによって糸長（釣糸の繰出し量）を計測するようになっている。
【００１７】
そして、ＣＰＵは、計測した糸長を表示駆動回路を介して制御ボックス３５上部の操作パネル４３上に装着した表示器４５に表示させるようになっており、釣人は斯かる表示を確認し乍ら、所定の水深に仕掛けを繰り出したり、ハンドル１７やパワーレバー３１，寸動スイッチ３３の操作で釣糸を巻き取ることが可能である。
また、図１に示すように操作パネル４３上には、表示器４５に隣接してリセットスイッチ４７と棚メモスイッチ４９が、リール本体３の両側板５，７間の中央よりハンドル１７側に偏寄して上下方向に配設されると共に、両スイッチ４７，４９にオフセットさせて既述した寸動スイッチ３３が表示器４５の斜め後方のハンドル１７側に設けられており、これらはマイクロコンピュータに接続されている。
【００１８】
而して、上記棚メモスイッチ４９は棚位置の設定に使用するもので、既述したように釣糸の繰出しや巻取りに伴い、ＣＰＵがリードスイッチ３９から取り込むスプール１３の回転パルス信号を基に糸長を求めて表示器４５に表示させるが、表示器４５はドットマトリックス方式のＴＦＴ液晶ディスプレイからなり、図３に示すように表示器４５の中央の上カラ表示部５１に水面からの仕掛けの水深が、そして、棚カラ表示部５３に棚からの仕掛けの距離が上下２段に並列して大きく表示されるようになっている。
【００１９】
そして、釣糸が竿先から水面まで繰り出された処で釣人がリセットスイッチ４７を操作すると、上カラ表示部５１の表示値が「０．０」にリセットされるようになっている。
この後、釣人が釣糸を繰り出していくと、ＣＰＵで演算，計測された糸長値が上カラ表示部５１に表示され、そして、釣糸が例えば９５．５ｍ繰り出された処で釣人が棚メモスイッチ４９を操作すると、棚カラ表示部５３に「０．０」が表示されて棚位置が設定され、以後、図３に示すように棚位置から例えば１５ｍの釣糸の巻上げに伴う仕掛けの距離と水面からの繰出し量（水深）が、棚カラ表示部５３と上カラ表示部５１に夫々表示されるようになっている。
【００２０】
そして、寸動スイッチ３３の操作でスプールモータ１５が駆動して、微妙な棚位置調整やシャクリ操作ができるようになっているが、寸動スイッチ３３とパワーレバー３１は別回路となっており、パワーレバー３１の操作中に寸動スイッチ３３を操作すると、スプールモータ１５は予め設定された寸動スイッチ３３のモータ出力で駆動し、また、寸動スイッチ３３からパワーレバー３１の操作に切り換える際には、安全性を考慮して一度パワーレバー３１をモータ出力「０」の位置まで戻さなければ、パワーレバー３１によるスプールモータ１５の駆動ができないように設定されている。
【００２１】
このようにスプールモータ１５は、パワーレバー３１や寸動スイッチ３３の操作で駆動するが、既述したように予め設定されている図２の標準のモータ出力制御パターンのみでは、対象魚や釣りの状況に応じたきめ細かな巻取り操作を行うことができない。
そこで、本実施形態では、上記モータ出力制御パターンが、任意に変更，設定可能となっている。
【００２２】
即ち、本実施形態に係る電動リール５５は、従来に比し数の少ない３つの機能スイッチ（寸動スイッチ３３，リセットスイッチ４７，棚メモスイッチ４９）を操作パネル４３上に配置したが、寸動スイッチ３３と棚メモスイッチ４９を同時に例えば２秒間押圧操作すると、図４に示すようにマイクロコンピュータのＣＰＵは、「糸長計測表示モード」から「モータ出力制御パターン変更モード」に切り換わるようになっている。
【００２３】
この「糸長計測表示モード」は、実釣時の釣糸の繰出しやハンドル１７，パワーレバー３１，寸動スイッチ３３等の操作による釣糸の巻取りに伴い、糸長が計測されて図３の如く計測値が表示器４５に表示される通常の実釣モードである。
そして、斯様にＣＰＵが「モータ出力制御パターン変更モード」に切り換わると、図５に示すように上カラ表示部５１と棚カラ表示部５３の表示に代え、表示器４５内の左上のモード表示部５７に「変更」のモード名が表示されると共に、表示器４５内の左下の設定値表示部５９に、先ず、図２の標準のモータ出力制御パターンに於けるモータ出力制御の最大値たるデューティ比１００％の数値「１００」が「最大」の文字と共に点滅表示される。
【００２４】
而して、この状態でパワーレバー３１を操作すると、点滅している設定値表示部５９の数値「１００」が変更するようになっており、釣人は設定値表示部５９の表示を目安にパワーレバー３１を操作し、例えば「８０」の表示が設定値表示部５９にされた状態で寸動スイッチ３３を押圧操作すると、デューティ比８０％がパワーレバー３１によるモータ出力制御の最大値としてマイクロコンピュータのＲＡＭに設定されるようになっている。
【００２５】
そして、斯様に寸動スイッチ３３を押圧操作してモータ出力制御の最大値を変更，設定すると、ＣＰＵは次に図２のモータ出力制御パターンのモータ出力の最小値たるデューティ比０％の数値「０」を、「最小」の文字と共に設定値表示部５９に点滅表示させるようになっている。
尚、図２の標準のモータ出力制御パターンのデューティ比１００％を変更する必要がない場合には、数値「１００」の点滅表示状態で寸動スイッチ３３を押圧操作すれば、上述の如くモータ出力の最小値たるデューティ比０％の数値「０」が設定値表示部５９に点滅表示される。
【００２６】
そして、この場合も、パワーレバー３１の操作で、点滅している設定値表示部５９の数値「０」が変更する。そして、設定値表示部５９の表示を目安にパワーレバー３１を操作して、設定値表示部５９に例えば「２０」の表示がされた状態で寸動スイッチ３３を押圧操作すると、デューティ比２０％がパワーレバー３１によるモータ出力制御の最小値としてマイクロコンピュータのＲＡＭに設定されて、ＣＰＵは「モータ出力制御パターン変更モード」から「糸長計測表示モード」に戻るようになっている。
【００２７】
尚、図２の標準のモータ出力制御パターンのデューティ比０％を変更する必要がない場合には、数値「０」の点滅表示状態で寸動スイッチ３３を押圧操作すれば、上述の如くＣＰＵは「モータ出力制御パターン変更モード」から「糸長計測表示モード」に戻るようになっている。
一方、マイクロコンピュータのＲＯＭには、「最大デューティ比と最小デューティ比の組合せ」によるスプールモータ１５の特性を基にしたモータ出力制御パターンのパターン線図が予め記憶されており、例えば釣人が図２の標準のモータ出力制御パターンの最小デューティ比を上述の如き操作でデューティ比２０％に変更，設定すると、ＣＰＵは「モータ出力制御パターン変更モード」から「糸長計測表示モード」に戻る際に、ＲＯＭから図６の如き「最小デューティ比２０〜最大デューティ比１００％」の組合せのパターン線図をＲＡＭに記憶させ、以後、マイクロコンピュータは、パワーレバー３１によるモータ出力制御を図６のモータ出力制御パターンで行うようになっている。
【００２８】
そして、図２の標準のモータ出力制御パターンでは、パワーレバー３１の操作でスプールモータ１５がモータ停止状態となるが、図６のモータ出力制御パターンではパワーレバー３１の操作でモータ停止状態にならないため、「糸長計測表示モード」に於て、例えばリセットスイッチ４７がスプールモータ１５のＯＮ／ＯＦＦスイッチとして機能するようになっている。
【００２９】
同様に、例えば釣人が図２の標準のモータ出力制御パターンの最大デューティ比を上述の如き操作でデューティ比８０％に変更，設定すると、ＣＰＵはＲＯＭから図７の如き「最小デューティ比０〜最大デューティ比８０％」の組合せのパターン線図をＲＡＭに記憶させ、以後、マイクロコンピュータは、パワーレバー３１によるモータ出力制御を図７のモータ出力制御パターンで行うようになっている。
【００３０】
そして、この場合、「糸長計測表示モード」に於て、棚メモスイッチ４９とリセットスイッチ４７の同時操作が、モータ出力最大のデューティ比１００％で出力制御する空巻きスイッチのスイッチ機能を奏するようになっている。
従って、図２の標準のモータ出力制御パターンの最大，最小デューティ比双方を変更したモータ出力制御パターンの場合には、リセットスイッチ４７がスプールモータ１５のＯＮ／ＯＦＦスイッチとして機能し、棚メモスイッチ４９とリセットスイッチ４７の同時操作が空巻きスイッチのスイッチ機能を奏することとなる。
【００３１】
尚、斯様にモータ出力制御パターンを変更，設定した後、更にモータ出力制御パターンを変更，設定する場合には、上述の如き変更，設定操作を繰り返せばよく、この場合、設定値表示部５９には、標準のモータ出力制御パターンに於けるモータ出力制御の最大値たるデューティ比１００％の数値「１００」が「最大」の文字と共に再び点滅表示される。
その他、図１に於て、６１は電動リール５５を握持した手の邪魔にならないように反ハンドル側の側板５に設けた突出部で、当該突出部６１はスプール１３前方の下部から下方へ突出し、その先端に給電コードを接続する給電接続部が装着されている。そして、従来と同様、当該給電接続部にコネクタを介して給電コードが接続され、この給電コードをバッテリ等の電源に接続することでスプールモータ１５等に給電されるようになっている。
【００３２】
本実施形態に係る電動リール５５はこのように構成されているから、実釣に当たり、給電接続部にコネクタを介して給電コードを接続し、給電コードをバッテリ等の電源に接続することでスプールモータ１５等に給電される。
そして、クラッチレバー２９のクラッチＯＦＦ操作で釣糸がスプール１３から繰り出され、パワーレバー３１によるスプールモータ１５の巻取り駆動やハンドル１７の巻取り操作でスプール１３に釣糸が巻回され、更に寸動スイッチ３３の操作で微妙な棚位置調整やシャクリ操作が行われ、また、釣糸の繰出しや巻取りに伴い、回転検出手段３７の検出値を基に糸長が計測されて表示器４５に糸長が表示されるが、釣人は対象魚や釣りの状況に応じ、既述した変更，設定操作で図２の標準のモータ出力制御パターンのデューティ比の最大値や最小値を変更，設定すれば、以後、パワーレバー３１によるスプールモータ１５のモータ出力制御が、例えば図６や図７の如きパターン線図をもったモータ出力制御パターンで行われることとなる。そして、既述したように図６のモータ出力制御パターンによる場合、リセットスイッチ４７がスプールモータ１５のＯＮ／ＯＦＦスイッチとして機能し、また、図７のモータ出力制御パターンによる場合には、棚メモスイッチ４９とリセットスイッチ４７の同時操作が空巻きスイッチとして機能する。
【００３３】
このように本実施形態によれば、図２の標準のモータ出力制御パターンのデューティ比の最大値や最小値を、対象魚や釣りの状況に応じ適宜変更，設定して最適なモータ出力制御パターンで釣りを行うことができるので、従来に比しモータ駆動によるきめ細かな巻取り操作が可能となって釣果が向上する利点を有する。
図８乃至図１６は請求項２に係る発明の一実施形態を示し、本実施形態は、図２の標準のモータ出力制御パターンと同一のパターン線図を持った図８のモータ出力制御パターンを始めとして、例えば図９乃至図１４に示すように図８のモータ出力制御パターンと異なる最大，最小デューティ比を持ったモータ出力制御パターンや、低速領域や高速領域での細かなモータ出力制御を可能としたもの等、合計７種類のモータ出力制御パターンをマイクロコンピュータのＲＯＭに記憶させている。
【００３４】
そして、寸動スイッチ３３と棚メモスイッチ４９を同時に例えば２秒間押圧操作すると、図１５に示すようにマイクロコンピュータのＣＰＵは、「糸長計測表示モード」から「モータ出力制御パターン選択モード」に切り換わるようになっている。
而して、斯様にＣＰＵが「モータ出力制御パターン選択モード」に切り換わると、図１６に示すように表示器４５内の左上のモード表示部５７に「選択」のモード名が表示されると共に、表示器４５中央下部のパターン線図表示部６３に、先ず、図８のモータ出力制御パターンのパターン線図が表示されるようになっている。
【００３５】
尚、図１６は、パターン線図表示部６３に図１４のモータ出力制御パターンのパターン線図が表示された状態を示している。
そして、斯様にパターン線図表示部６３に図８のパターン線図が表示された状態でパワーレバー３１を操作すると、パターン線図表示部６３に図９乃至図１４のパターン線図が順次表示されるようになっており、釣人は必要とするパターン線図が表示がされた処で寸動スイッチ３３を押圧操作すると、そのパターン線図を持ったモータ出力制御パターンがマイクロコンピュータのＲＡＭに選択，設定されて、ＣＰＵは「モータ出力制御パターン選択モード」から「糸長計測表示モード」に戻り、以後、「糸長計測表示モード」に於て、マイクロコンピュータはパワーレバー３１によるモータ出力制御を、選択したモータ出力制御パターンで行うようになっている。
【００３６】
また、図１の実施形態と同様、本実施形態に於ても、図１１及び図１２のモータ出力制御パターンによるモータ出力制御では、リセットスイッチ４７がスプールモータ１５のＯＮ／ＯＦＦスイッチとして機能し、図９及び図１０のモータ出力制御パターンによるモータ出力制御では、棚メモスイッチ４９とリセットスイッチ４７の同時操作が、モータ出力最大のデューティ比１００％で出力制御する空巻きスイッチのスイッチ機能を奏し、更にまた、図１２のモータ出力制御パターンによるモータ出力制御では、リセットスイッチ４７がスプールモータ１５のＯＮ／ＯＦＦスイッチとして機能し、棚メモスイッチ４９とリセットスイッチ４７の同時操作が空巻きスイッチのスイッチ機能を奏するようになっている。
【００３７】
尚、斯様にモータ出力制御パターンを選択，設定した後、更にモータ出力制御パターンを選択，設定する場合には、上述の如き選択，設定操作を繰り返せばよく、この場合、先ずパターン線図表示部６３には図８のパターン線図が再び表示される。
本実施形態はこのように構成されているから、釣人は対象魚や釣りの状況に応じ、既述した選択，設定操作で図８乃至図１４の何れかのモータ出力制御パターンを選択，設定すれば、以後、パワーレバー３１によるスプールモータ１５のモータ出力制御が、選択されたモータ出力制御パターンによって行われることとなる。
【００３８】
従って、本実施形態によれば、対象魚や釣りの状況に応じモータ出力制御パターンを適宜選択，設定して最適なモータ出力制御パターンで釣りを行うことができるので、従来に比しモータ駆動によるきめ細かな巻取り操作が可能となって釣果が向上する利点を有する。
【図面の簡単な説明】
【００３９】
【図１】請求項１の一実施形態に係る電動リールの平面図である。
【図２】標準のモータ出力制御パターンのパターン線図である。
【図３】表示器の表示状態の説明図である。
【図４】モードの切換え状態を示すフローチャートである。
【図５】表示器の表示状態の説明図である。
【図６】モータ出力制御パターンのパターン線図である。
【図７】モータ出力制御パターンのパターン線図である。
【図８】請求項２の一実施形態に係る電動リールに組み込まれたモータ出力制御パターンのパターン線図である。
【図９】モータ出力制御パターンのパターン線図である。
【図１０】モータ出力制御パターンのパターン線図である。
【図１１】モータ出力制御パターンのパターン線図である。
【図１２】モータ出力制御パターンのパターン線図である。
【図１３】モータ出力制御パターンのパターン線図である。
【図１４】モータ出力制御パターンのパターン線図である。
【図１５】モードの切換え状態を示すフローチャートである。
【図１６】表示器の表示状態の説明図である。
【図１７】従来の電動リールに組み込まれたモータ出力制御パターンのパターン線図である。
【符号の説明】
【００４０】
１  枠体
３  リール本体
５，７  側板
１３  スプール
１５  スプールモータ
１７  ハンドル
２９  クラッチレバー
３１  パワーレバー
３３  寸動スイッチ
３５  制御ボックス
３７  回転検出手段
３９  リードスイッチ
４５  表示器
４７  リセットスイッチ
４９  棚メモスイッチ
５５  電動リール
５７  モード表示部
５９  設定値表示部
６３  パターン線図表示部
【図１】
2005229963.tif 000003
【図２】
2005229963.tif 000004
【図３】
2005229963.tif 000005
【図４】
2005229963.tif 000006
【図５】
2005229963.tif 000007
【図６】
2005229963.tif 000008
【図７】
2005229963.tif 000009
【図８】
2005229963.tif 000010
【図９】
2005229963.tif 000011
【図１０】
2005229963.tif 000012
【図１１】
2005229963.tif 000013
【図１２】
2005229963.tif 000014
【図１３】
2005229963.tif 000015
【図１４】
2005229963.tif 000016
【図１５】
2005229963.tif 000017
【図１６】
2005229963.tif 000018
【図１７】
2005229963.tif 000019